(57)【要約】【課題】簡易な構成で、スケールを水平方向に引き出すことができるようにした計測器具を提供する。【解決手段】この計測器具は、目盛り１１を付した帯状のスケール１０と、該スケール１０を巻回状態に収納し、かつ、スケール１０を引き出すためのスリットを形成したドラム２０とが備えられている。そして、この計測器具は、前記スケール１０の基端側が巻き付けられ、かつ、棒状体１を保持可能に挿通する内筒３０が前記ドラム２０内に備えられ、前記スリット２１が前記棒状体１を挿通する方向と同一方向に形成されている。そして、前記スケール１０の基端側が巻き付けられ、かつ、棒状体１を保持可能に挿通する内筒３０が前記ドラム２０内に備えられている。さらに、前記棒状体１が前記内筒３０内で一方の周方向に回転すると緩み、反対の周方向に回転するとロックされることによって棒状体１を保持するグリップ５０が前記内筒３０の内面に備えられている。【選択図】図２
2010261832.tif 000002
【特許請求の範囲】
【請求項１】
目盛りを付した帯状のスケールと、該スケールを巻回状態に収納し、かつ、スケールを引き出すためのスリットを形成したドラムとが備えられている計測器具であって、
前記スケールの基端側が巻き付けられ、かつ、棒状体を保持可能に挿通する内筒が前記ドラム内に備えられ、前記スリットが前記棒状体を挿通する方向と同一方向に形成されていることを特徴とする計測器具。
【請求項２】
前記棒状体が前記内筒内で一方の周方向に回転すると緩み、反対の周方向に回転するとロックされることにより、棒状体を保持するグリップが前記内筒の内面に備えられていることを特徴とする請求項１に記載の計測器具。
【請求項３】
スケールの目盛りを読み取るための窓穴部が前記ドラムに設けられ、前記スケールがドラム内に完全に収納された状態で、前記窓穴部から読み取られるスケールに付された目盛りが窓穴部と前記スリットとの間隔分の距離とされていることを特徴とする請求項１又は２に記載の計測器具。
【請求項４】
スリットから引き出されるスケールを窓穴部の内面に当接ないし近接させるガイド板が前記ドラム内に備えられていることを特徴とする請求項３に記載の計測器具。
【請求項５】
水準器がドラム又はドラムの端部を塞ぐ端盤に備えられていることを特徴とする請求項１ないし４の何れか１項に記載の計測器具。
【発明の詳細な説明】
【技術分野】
【０００１】
本発明は、例えば、法面勾配の測定やコンクリート構造物などの出来形計測に使用される計測器具に関する。
【背景技術】
【０００２】
法面勾配の測定や出来形計測などにおいては、ポールやコンベックスあるいは巻尺などが使用されている。詳しくは、ある作業者がポールを起点に鉛直姿勢で突き立てつつコンベックスや巻尺の本体を保持し、別の作業者がコンベックスや巻尺などに備えられたテープ状のスケール（測定テープなどとも呼ばれる。）を引き出しながら測定地点まで移動し、さらに別の作業者が引き出されたスケールが水平状態となっているかどうかを遠方から確認した上で、スケールの目盛りが読み取られる。
【０００３】
なお、測定精度を向上させた複尺付き巻尺が特許文献１に開示されている。この複尺付き巻尺は、図５に示すように、目盛り（図示せず）を付したスケール１０１が容器１１０内に巻回された状態で収納され、そして引き出されるものであるが、容器１１０には、スケール１０１の引出口１１１の近傍に透視窓１１２が設けられ、この透視窓１１２にスケール１０１の目盛りと照合し得る副尺１１３が配設されていることを特徴としている。
【０００４】
また、スケール１０１が引き出され、径が小さくなっても、スケール１０１と副尺１１３との距離が一定になるようにするためのガイド（図示せず）が容器１１０内に設けられている。この複尺付き巻尺にあっては、スケール１０１の目盛りと副尺１１３とを照合することによって、所定の精度の寸法を読み取ることができるとされている。
【先行技術文献】
【特許文献】
【０００５】
【特許文献１】実開平５−５０３０２号公報
【発明の概要】
【発明が解決しようとする課題】
【０００６】
従来の法面勾配の測定などにおいては、ポールを比較的容易に鉛直姿勢に突き立てることができるものの、スケールを水平方向に引き出すことが容易でなく、傾斜姿勢となりがちである。法面勾配の測定などは、簡易測定であるため、高精度が要求されないものの、スケールが傾斜して長く引き出されると、許容できない誤差が生じてしまう。
【０００７】
したがって、従来の法面勾配の測定などでは、引き出されたスケールの水平精度を一人の作業者が遠方から確認している。しかし、このような作業は、面倒であり、効率的でない。また、特許文献１に開示された複尺付き巻尺を使用したとしても、水平方向に引き出されないことには、正確に測定することができない。
【０００８】
そこで、本発明は、簡易な構成で、スケールを水平方向に引き出すことができるようにした計測器具を提供することを課題とする。
【課題を解決するための手段】
【０００９】
本発明に係る計測器具は、目盛りを付した帯状のスケールと、該スケールを巻回状態に収納し、かつ、スケールを引き出すためのスリットを形成したドラムとが備えられている計測器具であって、前記スケールの基端側が巻き付けられ、かつ、棒状体を保持可能に挿通する内筒が前記ドラム内に備えられ、前記スリットが前記棒状体を挿通する方向と同一方向に形成されていることを特徴としている。
【００１０】
この計測器具は、内筒内に棒状体が挿入されて使用されるが、ドラムに形成されたスリットが棒状体を挿通する方向と同一方向とされる。棒状体は、計測する起点に突き立てられるが、比較的に鉛直姿勢としやすい。したがって、ドラムに形成されたスリットも鉛直方向となり、このスリットからスケールを水平方向に引き出すことができる。
【００１１】
また、前記本発明に係る計測器具において、前記棒状体が前記内筒内で一方の周方向に回転すると緩み、反対の周方向に回転するとロックされることにより、棒状体を保持するグリップが前記内筒の内面に備えられていることが好ましい。
【００１２】
この計測器具によれば、内筒の内面に備えられたグリップによって、内筒内に挿入された棒状体を任意の位置に固定することができる。すなわち、グリップは、棒状体を一方の周方向に回転することによって緩むため、この緩んだ状態で棒状体が内筒内を移動するようにすることができる。そして、グリップは、棒状体を反対の周方向に回転することによってロックされるため、棒状体を所期の位置で内筒内に固定することができる。
【００１３】
また、前記本発明に係る計測器具において、スケールの目盛りを読み取るための窓穴部が前記ドラムに設けられ、前記スケールがドラム内に完全に収納された状態で、前記窓穴部から読み取られるスケールに付された目盛りが窓穴部と前記スリットとの間隔分の距離とされていることが好ましい。
【００１４】
この計測器具によれば、スケールに付された目盛りがドラムに設けられた窓穴部から読み取られる。そして、前記スケールがドラム内に完全に収納された状態で、前記窓穴部から読み取られるスケールに付された目盛りが窓穴部と前記スリットとの間隔分の距離とされていることにより、スケールがスリットから引き出されたときに窓穴部に露出する目盛りは、ドラムの中心から引き出された距離が表示される。
【００１５】
また、前記本発明に係る計測器具において、スリットから引き出されるスケールを窓穴部の内面に当接ないし近接させるガイド板が前記ドラム内に備えられていることが好ましい。
【００１６】
この計測器具によれば、スケールがスリットから長く引き出され、巻回されているスケールが少なくなっても、スケールはガイド板によって窓穴部に当接ないし近接し、目盛りを正確に読み取ることができる。
【００１７】
また、前記本発明に係る計測器具において、水準器がドラム又はドラムの端部を塞ぐ端盤に備えられていることが好ましい。
【００１８】
この計測器具によれば、水準器によって、内筒内に挿入された棒状体を正確に鉛直姿勢とすることができる。
【発明の効果】
【００１９】
本発明によれば、スケールの内端側が巻き付けられ、かつ、棒状体を保持する状態に挿通する筒状体が備えられ、さらにスケールを引き出すスリットが棒状体を挿通する方向と同一方向に形成されることにより、スケールを棒状体に対して直角方向に引き出すことができる。棒状体は、鉛直姿勢にとしやすいことから、スケールは水平方向に引き出される。したがって、この計測器具を使用することにより、法面勾配の測定や出来形計測の精度を向上させることができる。
【図面の簡単な説明】
【００２０】
【図１】本発明に係る計測器具の一実施形態を示し、（ａ）は断面平面図、（ｂ）は要部を拡大した断面平面図である。
【図２】本発明に係る計測器具の一実施形態を示す正面図である。
【図３】本発明に係る計測器具の使用状態を示し、（ａ）は法面勾配を測定している状態の概略図、（ｂ）は出来形計測している状態を示す概略図である。
【図４】本発明に係る計測器具の特殊な使用状態を示す概略図である。
【図５】従来の副尺付き巻尺を示す斜視図である。
【発明を実施するための形態】
【００２１】
本発明に係る計測器具の一実施形態について図１ないし図４を参照しながら説明する。この計測器具は、目盛り１１を少なくとも表面側に付した帯状のスケール１０と、このスケール１０を巻回状態に収納するドラム２０と、ドラム２０内に備えられてスケール１０の基端側が巻き付けられ、かつ、ポールなどの棒状体１が挿通される内筒３０とを備えている。
【００２２】
スケール１０は、ドラム２０の長さ（図２では高さ）よりも短い帯状とされ、一般的なコンベックスに備えられたスケール（測定テープ）よりも幅広とされている。なお、スケール１０の裏面側は、目盛り１１を付してもよいし、縦縞のような模様を付してもよいし、立入禁止のようなメッセージを付してもよい。
【００２３】
そして、スケール１０の基端部１０ａが前記内筒３０に固着され、先端部１０ｂにピン１２を取り付けたものとされている。ピン１２は、例えば、出来形計測する場合に作業性をよくするため、径の異なる複数の筒状体が突出・退入することにより、伸縮するようにされていることが好ましい（図２の仮想線に突出している状態を示す。）。また、ピン１２の先端（下端）は、測定精度を上げるため、尖鋭にされていることが好ましい。
【００２４】
そして、ドラム２０は、巻回されたスケール１０を収納するため、円筒形であることが好ましいが、三角筒形や四角筒形、六角筒形など多角筒形であってもよい。いずれにしても、スケール１０を引き出すためのスリット２１が、棒状体１を挿通する方向と同一方向に形成されている。このスリット２１は、前記ピン１２の外径よりも狭く形成され、ピン１２がこのスリット２１の部分でドラム２０に当接することによって、スケール１０の先端部１０ｂがドラム２０内に巻き込まれないようにされている。
【００２５】
また、ドラム２０には、スリット２１を形成した部位と反対側にピン１２を挿し込む割れ目付き筒状の連結部２２が設けられている。
【００２６】
また、ドラム２０の各端面は、端盤（以下、「天盤」、「底盤」という。）２３，２４によって塞がれている。天盤２３、底盤２４は、ともに内筒３０を嵌め込む貫通穴を設けたものとされている。また、天盤２３の下側には、空間部２５を設けて仕切盤２６が配置され、空間部２５内には、引き出されたスケール１０を巻き取るための巻取機構（図示せず）が収納されている。なお、仕切盤２６にも内筒３０が貫通する貫通穴が設けたものとされている。
【００２７】
また、天盤２３の上には、計測器具を鉛直姿勢とするための丸型の水準器２７又は棒状の水準器（図示せず）が固定されている。ただし、棒状の水準器は、２方向に固定する必要がある。なお、ドラム２０の側面に棒状の水準器を２方向に固定してもよい。
【００２８】
そして、ドラム２０には、スケール１０の目盛り１１を読み取るための窓穴部２８が設けられている。この窓穴部２８は、ドラム２０のどの位置に設けられてもよいが、例えば図１に示すように、ドラム２０の中心Ｃを基点に、ドラム２０の中心Ｃとスリット２１とを結ぶラインＬから直角方向に設けられている。
【００２９】
また、この窓穴部２８には、透明なアクリル板などのカバー２９が嵌め込まれている。そして、カバー２９の例えば中心線上に読取線２９ａが引かれている。すなわち、この読取線２９ａに重なる目盛り１１が計測値となる。したがって、スケール１０が図１に示すように完全に収納されている状態において、読取線２９ａに重なる目盛り１１は、窓穴部２８とスリット２１との間隔Ｌとされている。
【００３０】
正確には、窓穴部２８が前記のように図１に示した位置に形成され、スケール１０の先端部１０ｂにピン１２が取り付けられているときは、スケール１０が完全に収納されている状態において読取線２９ａに重なる目盛り１１は、ピン１２からドラム２０の中心Ｃまでの間隔Ｌとされる。なお、特にピン１２が伸縮しない場合は、底盤２４を起点とする棒状体１からの垂線Ｓがピン１２の先端と交差するようにし、棒状体１の先端（下端）から底盤２４までの長さＹ（図３（ａ）参照）を既知数としておくことが好ましい。
【００３１】
そして、スリット２１から引き出されるスケール１０を窓穴部２８の内面に当接ないし近接させるガイド板４０がドラム２０内に備えられている。このガイド板４０は、ドラム２０の内面との間に隙間を設けるように両端が底盤２４と仕切盤２６とに固定され、この隙間内を最外周のスケール１０が通過して、スリット２１から引き出すことができるようにされている。
【００３２】
そして、内筒３０の内面には、棒状体１を保持するためのグリップ５０が備えられている。グリップ５０は、軟質プラスチックや硬質ゴムなどによって成形され、例えば図１に示すように、内筒３０に固定される基盤５１と、この基盤５１から斜め向きに突設されて棒状体１の外周面を押圧する突出部５２とを備えたものとされている。このグリップ５０は、バランス上、図示したように４個備えられることが好ましいが、２個や３個、５個以上でもよいし、基盤５１を環状に形成したものでもよい。
【００３３】
いずれにしても、突出部５２が斜め向きに突出されることにより、内筒３０内に挿入された棒状体１が突出部５２の傾斜方向の周方向に回転されると、突出部５２が傾斜方向に傾倒して緩む状態となるため、棒状体１を内筒３０内で移動させることができる。また、内筒３０内に挿入された棒状体１が突出部５２の傾斜方向と反対の周方向に回転されると、突出部５２がわずかに起立して棒状体１を強く押圧する状態となるため、棒状体１をロックするように固定することができる。
【００３４】
この計測器具は、このように構成され、次に使用方法について説明する。まず、計測器具を棒状体１の所定の高さに固定する。そのため、グリップ５０の突出部５２が傾斜した方向と同一の周方向に棒状体１を回転しながら内筒３０内に挿入する。あるいは、逆に、計測器具を回転しながら内筒３０が棒状体１を外嵌するようにする。
【００３５】
いずれにしても、所定位置においてグリップ５０の突出部５２が傾斜した方向と反対方向に計測器具又は棒状体１を回し、突出部５２が棒状体１を強く押圧することにより、ロック状態に固定する。こうすることによって、棒状体１を鉛直姿勢としても、計測器具が下方にずれないようにすることができる。
【００３６】
そして、この状態においては、ピン１２がスリット２１に当接し、窓穴部２８の読取線２９ａと重なっているスケール１０の目盛り１１は、スリット２１、正確にはピン２１とドラム２０の中心Ｃとの間隔Ｌが示されている。そして、図１の仮想線及び図２に示すように、作業者がスケール１０を引き出す。
【００３７】
なお、棒状体１が内筒３０内に挿入され、スリット２１が棒状体１を挿通する方向と同一方向に形成されていることにより、スケール１０はスリット２１から棒状体１に対して直角方向に引き出される。特に、スケール１０が幅広にされていることにより、直角に引き出されていないときに生じる皺又は弛みが目立つため、スケール１０を棒状体１に対して確実に直角方向に引き出すことができる。また、棒状体１が鉛直姿勢とされることにより、スケール１０は水平方向に引き出される。なお、計測器具に水準器２７が備えられていることにより、棒状体１が鉛直姿勢になっていることを確認することができる。
【００３８】
そして、例えば、図３（ａ）に示すように、法面Ａの勾配を測定する場合にあっては、棒状体１の先端を法面Ａに突き当て、引き出されたスケール１０の先端のピン１２の先端も法面Ａに突き当てる。棒状体１が鉛直姿勢とされ、スケール１０が水平方向に引き出され、そして、棒状体１の長さＹが既知であることから、引き出されたスケール１０の長さＸを読み取ることにより、法面Ａの勾配（Ｙ／Ｘ）を測定することができる。
【００３９】
また、図３（ｂ）に示すように、コンクリート構造物Ｂの出来形計測する場合にあっては、棒状体１の先端とピン１２の先端を構造物Ｂの所定の位置に突き当てる。ピン１２が伸縮できるものであると、ドラム２０が棒状体１のある位置に固定されていても、ピン１２の突出加減を調整することにより、棒状体１を鉛直姿勢とし、スケール１０を水平方向に引き出すことができる。そして、引き出されたスケール１０の長さを読み取ることにより、出来形計測することができる。
【００４０】
そして、スケール１０の目盛り１１を読み取るに際して、スケール１０が長く引き出されることによって、内筒３０に巻かれているスケール１０が少なくなっても、スケール１０はガイド板４０によって窓穴部２８に当接ないし近接し、スケール１０の目盛り１１がカバー２９の読取線２９ａと重なるようにされている。
【００４１】
このようにスケール１０が水平姿勢に繰り出され、またスケール１０の目盛り１１がカバー２９の読取線２９ａと重なることにより、法面Ａの勾配の測定や出来形計測を正確にすることができる。
【００４２】
なお、本発明は、前記の実施形態に限定することなく、種々変更することができる。例えば、この計測器具は、法面Ａの勾配の測定や出来形計測以外に、図４に示すようにパーティションとして使用することができる。すなわち、計測器具の内筒３０に挿入した棒状体１を台座２上に立設し、これを複数台直列に配列する。
【００４３】
そして、ある計測器具のドラム２０から引き出されたスケール１０のピン１２を隣の計測器具のドラム２０に設けられた連結部２２に連結する。すると、スケール１０が帯状のパーティションとなり、スケール１０の裏面に付された縦縞やメッセージによって第三者に注意を促すことができる。この計測器具は、ドラム２０に設けられた窓穴部２８からスケール１０の表面に付された目盛り１１を読み取るものであり、裏面に目盛り１１を付する必要がないことから、このようなパーティションとしても利用することができる。
【００４４】
また、水準器に替えて底盤２４から錘を吊り下げるようにして、棒状体１が鉛直姿勢になるようにしてもよいし、計測器具に水準器も錘も備えていないものとしてもよい。また、スケール１０が弾力性に富み、巻回された状態から拡開するようなバネ力を有しているときは、計測器具はガイド板４０を備えていないものとしてもよい。
【００４５】
また、計測器具は、内筒３０内にグリップ５０を備えていないものとし、作業者の手で底盤２４を支承するようにしてもよい。また、スケール１０に付された目盛り１１は、スリット２１の部分で読み取ってもよく、この場合は、窓穴部２８を備えなくてもよい。さらに、この場合は、スケール１０の両面に目盛り１１を付してもよい。また、スケール１０は、幅広のものを使用することが好ましいが、一般的な幅のものを使用してもよい。
【符号の説明】
【００４６】
１……棒状体
１０…スケール
１１…目盛り
２０…ドラム
２１…スリット
２３…天盤（端盤）
２７…水準器
２８…窓穴部
３０…内筒
４０…ガイド板
５０…グリップ
Ｌ……窓穴部とスリットとの間隔
【図１】
2010261832.tif 000003
【図２】
2010261832.tif 000004
【図３】
2010261832.tif 000005
【図４】
2010261832.tif 000006
【図５】
2010261832.tif 000007